(57)【要約】      （修正有）【課題】設置スペースや収納スペースを削減するモップの水切り用具を提供する。【解決手段】水切り籠１２を水平回転可能に収容しバケツ１１の上端部を支点に回転可能に設けられる水切り籠用容器１３と、バケツ１１の端部に形成されたレール１６に沿ってスライド且つ回転することによりバケツ１１の上方開口部を閉塞する未使用位置とバケツ１１の上方開口部を開放する使用位置との間を移動可能に設けられる蓋板１４と、水切り籠用容器１３の底部に枢設されると共に蓋板１４の内面に沿ってスライド可能に設けられる支持部材２０と、を備える。前記未使用位置ではバケツ１１内において水切り籠用容器１３が上下反対姿勢で収容されると共に支持部材２０が水切り籠用容器１３の上方において折り畳み姿勢で収容され、前記使用位置では水切り籠用容器１３がバケツ１１に隣接する位置で水平に支持される。【選択図】図１
0003177107.tif 000002
【実用新案登録請求の範囲】
【請求項１】
バケツと水切り籠とを備えたモップの水切り用具であって、
前記水切り籠を水平回転可能に収容し、前記バケツの上端部を支点に回転可能に設けられる水切り籠用容器と、
前記バケツの端部に形成されたレールに沿ってスライド且つ回転することにより、該バケツの上方開口部を閉塞する未使用位置と、該バケツの上方開口部を開放する使用位置と、の間を移動可能に設けられる蓋板と、
該水切り籠用容器の底部に枢設されると共に前記蓋板の内面に沿ってスライド可能に設けられる支持部材と、
を備え、
前記未使用位置では、前記バケツ内において、前記水切り籠用容器が上下反対姿勢で収容されると共に前記支持部材が前記水切り籠用容器の上方において折り畳み姿勢で収容され、
前記使用位置では、前記水切り籠用容器が前記バケツに隣接する位置で前記蓋板上に立設姿勢の前記支持部材により水平に支持されることを特徴とするモップの水切り用具。
【請求項２】
把持部が設けられる柄部材と、該柄部材の下端に設けられる可動部材と、該可動部材の下端において該可動部材と共に水平回転可能に設けられる円盤状のヘッドと、該ヘッドに取り付けられる繊維束と、を有するモップの下端部が嵌合可能なように、前記バケツの底部に水平回転可能な回転軸が突設されていると共に前記水切り籠の底部に凸部が突設されており、
前記モップの下端部を前記回転軸に嵌合させた状態で前記柄部材を押下させると、前記可動部材が収縮しながら回転し、これに伴って、前記回転軸が前記ヘッド及び繊維束と共に水平回転し、
前記モップの下端部を前記凸部に嵌合させた状態で前記柄部材を押下させると、前記可動部材が収縮しながら回転し、これに伴って、前記水切り籠が前記ヘッド及び繊維束と共に水平回転することを特徴とする請求項１に記載のモップの水切り用具。
【考案の詳細な説明】
【技術分野】
【０００１】
本考案は、床等を清掃する際に使用されるモップの水切り用具に関するものである。
【背景技術】
【０００２】
従来、床等を清掃する際にモップを使用している。このモップは、長い柄の先端に吸水性の良い繊維束を保持するヘッドを備えており、床等を清掃する際、このヘッドに保持された繊維束を、バケツ内の水に浸し、床等に擦り付けた後、再度水に浸して洗浄し、手で絞るようになっている。
【０００３】
また、最近では、この清掃後のヘッドの繊維束の絞り作業の簡素化を図るため、バケツ内に水切り籠を設置し、清掃後は、水に浸して洗浄したヘッドをこの水切り籠に入れ、足踏み板を踏んでこの水切り籠及びヘッドを回転させることによって、ヘッドの繊維束を絞るように構成したものも提案されている。（例えば、特許文献１参照）。
【先行技術文献】
【特許文献】
【０００４】
【特許文献１】実用新案登録第３１４７７７２号公報
【考案の概要】
【考案が解決しようとする課題】
【０００５】
しかしながら、上記した従来の水切り用では、バケツ内に水切り籠が収容されていると共に、足踏み板が側方に突出するように設けられているため、外形が大きくなり、設置スペースが広く必要となり、特に、未使用時に広い収納スペースが必要となるといった問題があった。
【０００６】
また、モップのヘッドの繊維束を絞る際に、足踏み板を何度も踏み込む動作を行う必要があるため、使用者の足が疲労し、労力の軽減化が図り難いといった問題もあった。
【０００７】
本考案は、上記した課題を解決すべくなされたものであり、設置スペースや収納スペースを削減することができると共に、使用者の労力を軽減することのできるモップの水切り用具を提供することを目的とするものである。
【課題を解決するための手段】
【０００８】
上記した目的を達成するため、本考案は、バケツと水切り籠とを備えたモップの水切り用具であって、前記水切り籠を水平回転可能に収容し、前記バケツの上端部を支点に回転可能に設けられる水切り籠用容器と、前記バケツの端部に形成されたレールに沿ってスライド且つ回転することにより、該バケツの上方開口部を閉塞する未使用位置と、該バケツの上方開口部を開放する使用位置と、の間を移動可能に設けられる蓋板と、該水切り籠用容器の底部に枢設されると共に前記蓋板の内面に沿ってスライド可能に設けられる支持部材と、を備え、前記未使用位置では、前記バケツ内において、前記水切り籠用容器が上下反対姿勢で収容されると共に前記支持部材が前記水切り籠用容器の上方において折り畳み姿勢で収容され、前記使用位置では、前記水切り籠用容器が前記バケツに隣接する位置で前記蓋板上に立設姿勢の前記支持部材により水平に支持されることを特徴とする。
【０００９】
また、本考案に係るモップの水切り用具は、把持部が設けられる柄部材と、該柄部材の下端に設けられる可動部材と、該可動部材の下端において該可動部材と共に水平回転可能に設けられる円盤状のヘッドと、該ヘッドに取り付けられる繊維束と、を有するモップの下端部が嵌合可能なように、前記バケツの底部に水平回転可能な回転軸が突設されていると共に前記水切り籠の底部に凸部が突設されており、前記モップの下端部を前記回転軸に嵌合させた状態で前記柄部材を押下させると、前記可動部材が収縮しながら回転し、これに伴って、前記回転軸が前記ヘッド及び繊維束と共に水平回転し、前記モップの下端部を前記凸部に嵌合させた状態で前記柄部材を押下させると、前記可動部材が収縮しながら回転し、これに伴って、前記水切り籠が前記ヘッド及び繊維束と共に水平回転することを特徴とする。
【考案の効果】
【００１０】
本考案によれば、設置スペースや収納スペースを削減することができると共に、使用者の労力を軽減することができる等、種々の効果を得ることができる。
【図面の簡単な説明】
【００１１】
【図１】本考案の実施の形態に係るモップの水切り用具を示す斜視図である。
【図２】本考案の実施の形態に係るモップの水切り用具を示す平面図である。
【図３】本考案の実施の形態に係るモップの水切り用具に使用されるモップを示す斜視図である。
【図４】本考案の実施の形態に係るモップの水切り用具の蓋板を移動させている状態を示す斜視図である。
【図５】本考案の実施の形態に係るモップの水切り用具のバケツを蓋板で閉塞した状態を示す斜視図である。
【考案を実施するための形態】
【００１２】
以下、図面を参照しつつ、本考案の実施の形態について説明する。
【００１３】
図１は、本考案の実施の形態に係るモップの水切り用具を示す斜視図、図２は該モップの水切り用具を示す平面図である。
【００１４】
本考案の実施の形態に係る水切り用具１０は、バケツ１１と、水切り籠１２を収容する水切り籠用容器１３と、バケツ１１の上方開口部を開閉可能な蓋板１４と、を備えて構成されている。
【００１５】
バケツ１１は、樹脂製であり、平面視で略矩形状を成し、一端部の上側部分には外側に僅かに突出するように湾曲部１５が形成されている。バケツ１１には、湾曲部１５に対向する他端部の両側角部からバケツ１１の底部に掛けて、溝状のレール１６が形成されており、このレール１６は、前記角部に沿って上下方向に形成される縦レール部１６ａと、バケツ１１の底部に沿って水平方向に形成される横レール部１６ｂとにより、図１の方向から見て逆Ｌ字状（反対側からはＬ字状）に形成されている。
【００１６】
バケツ１１の上部には、把手１７が取り付けられており、また、バケツ本体１１の内部には、底部に水平回転可能な回転軸１８が突設されている。
【００１７】
水切り籠１２は、樹脂製であり、平面視で円形状を成し、その内部には底部の中心に凸部１９が突設されている
【００１８】
水切り籠用容器１３は、樹脂製であり、水切り籠１２を水平回転可能に収容し、バケツ１１のレール１６に近接した上端部を支点に上下方向に回転可能に設けられている。また、水切り籠用容器１３の底部には、バケツ１１から離れた位置に支持部材２０の一端が枢設されている。
【００１９】
蓋板１４は、樹脂製であり、端部がレール１６に係合し、該レール１６に沿ってスライド且つ回転することにより、バケツ１１の上方開口部を閉塞する未使用位置と、バケツ１１の上方開口部を開放する使用位置と、の間を移動可能なように設けられている。
【００２０】
また、蓋板１４の内面には、案内部２１が形成されており、この案内部２１に沿って支持部材２０の他端がスライド可能に設けられている。
【００２１】
図３は本考案の実施の形態に係るモップの水切り用具に使用されるモップを示す斜視図であり、このモップ３０は、中空棒状の柄部材３１と、柄部材３１の下端に連結される中空棒状の可動部材３２と、可動部材３２の下端に取り付けられる円盤状のヘッド３３と、ヘッド３３に着脱自在に設けられる繊維束３４と、を備えて構成されている。
【００２２】
柄部材３１は、ステンレス製であり、部分的に樹脂製の把持部３５が取り付けられている。
【００２３】
可動部材３２は、ステンレス製であり、柄部材３１と可動部材３２との間には、可動部材３２を柄部材３１に対して伸縮可能且つ回転可能に連結する接続部材３６が設けられており、接続部材３３に対して所定の操作を行うと、柄部材３１に対する可動部材３２の伸縮動作及び回転動作が許容されるようになっている。
【００２４】
ヘッド３３の下面側中心部には円形の凹部（図示省略）が形成されており、該凹部は、バケツ１１の回転軸１８及び水切り籠１２の凸部１９が嵌合可能となっている。また、繊維束３４は吸水性の良いマイクロファイバーにより形成されている。
【００２５】
次に、上記した構成を備えたモップの水切り用具１０とモップ３０の使用方法について説明する。
【００２６】
先ず、図１に示されているように蓋板１４を前記使用位置に移動させると、水切り籠用容器１３がバケツ１１に隣接する位置で蓋板１４上に立設姿勢の支持部材２０によって水平に支持される。
【００２７】
この姿勢において、モップ３０の繊維束３４を、バケツ１１内の水に浸し、湾曲部１５に軽く押し当てて余分な水を切った後、柄部材３１の把持部３５を持って繊維束３４を床等に擦り付けて清掃する。
【００２８】
清掃後、モップ３０をバケツ１１内の水に再度浸し、接続部材３３に所定の操作を行った上で、モップ３０の下端部の前記凹部に回転軸１８を嵌合させて、柄部材３１を押下させると、可動部材３２が収縮しながら一方向に回転し、これに伴って、回転軸１８がヘッド３３に取り付けられた汚れた繊維束３４と共に前記一方向に水平回転する。
【００２９】
その後、モップ３０の前記凹部に回転軸１８を嵌合させた状態で、柄部材３１を持ち上げると、可動部材３２が無回転のまま伸長する。この伸長状態で、再度、柄部材３１を押下させると、上記した動作が繰り返され、これにより、汚れた繊維束３４はきれいに洗浄される。
【００３０】
このように繊維束３４を洗浄した後、モップ３０を水切り籠用容器１３に移動させ、ヘッド３３及び繊維束３４を水切り籠１２に収容させてモップ３０の前記凹部に凸部１９を嵌合させて、柄部材３１を押下させると、可動部材３２が収縮しながら一方向に回転し、これに伴って、水切り籠１２がヘッド３３に取り付けられた繊維束３４と共に前記一方向に水平回転する。
【００３１】
その後、モップ３０の前記凹部に凸部１９を嵌合させた状態で、柄部材３１を持ち上げると、可動部材３２が無回転のまま伸長する。この伸長状態で、再度、柄部材３１を押下させると、上記した動作が繰り返され、水平回転時の遠心力により、繊維束３４の水分が水切り籠１２の孔を通って水切り籠用容器１３内に貯留され、繊維束３４の水切りが行われる。
【００３２】
このようにモップの水切り用具１０を使用した後は、図４に示すように、蓋板１４をレール１６に沿って上方に移動させながら、支持部材２０を、一端を支点に回転させると共に他端を蓋板１４の案内部２１に沿ってスライドさせて折り畳む。そして蓋板１４でバケツ１１の上方開口部を閉塞すると、図５に示されているように、バケツ１１内において、水切り籠用容器１２が上下反対姿勢で収容されると共に支持部材２０が水切り籠用容器１３の上方において折り畳み姿勢で収容される。
【００３３】
このように上記した本考案の実施の形態に係るモップの水切り用具１０によれば、未使用時に、バケツ１１の内部に、水切り籠１２、水切り籠用容器１３、及び支持部材２０を収容し、さらに、バケツ１１の上方開口部を蓋板１４で閉塞することができる。したがって、未使用時にモップの水切り用具１０をコンパクト且つ効率よく収納させることができ、省スペース化を図ることができる。
【００３４】
また、モップ３０の繊維束３４を絞る際に、足踏み板を踏み込む動作を行う必要があるため、使用者の足が疲労することがなく、使用者の労力の軽減化を図ると共に、使用勝手の向上を図ることができる。
【００３５】
なお、上記した本考案の実施の形態の説明は、本考案における好適な実施の形態を説明しているため、技術的に好ましい種々の限定を付している場合もあるが、本考案の技術範囲は、特に本考案を限定する記載がない限り、これらの態様に限定されるものではない。すなわち、上記した本考案の実施の形態における構成要素は適宜、既存の構成要素等との置き換えが可能であり、かつ、他の既存の構成要素との組合せを含む様々なバリエーションが可能であり、上記した本考案の実施の形態の記載をもって、実用新案登録請求の範囲に記載された考案の内容を限定するものではない。
【符号の説明】
【００３６】
１０          モップの水切り用具
１１          バケツ
１２          水切り籠
１３          水切り籠用容器
１４          蓋板
１６          レール
１８          回転軸
１９          凸部
２０          支持部材
３０          モップ
３１          柄部材
３２          可動部材
３３          ヘッド
３４          繊維束
【図１】
0003177107.tif 000003
【図２】
0003177107.tif 000004
【図３】
0003177107.tif 000005
【図４】
0003177107.tif 000006
【図５】
0003177107.tif 000007